(57)【要約】【課題】有機薄膜ＥＬ素子からなる平面発光体に対し、その発光表面側にそれぞれ垂直に起立する垂直遮光壁部を形成した複数の開口部を所定間隔離間させて穿設したルーバ基板を当接配置することにより、平面発光体を間欠的に点灯した場合においても、平面発光体の両端において平面発光体の光線が直接目に触れないようにした遮光領域を設定することができる平面発光体およびこれを使用して水中での着衣を可能とする安全作業衣服を提供する。【解決手段】矩形状に形成した有機薄膜ＥＬ素子からなる平面発光体１２と、この平面発光体の発光表面１２ａ側に対してそのほぼ全面を覆うように当接配置するルーバ基板２０とから構成し、前記ルーバ基板２０は、その長手方向に所定間隔離間させて平行に延在する複数の開口部２２を穿設すると共に、前記各開口部２２の各仕切部とその両端部とにおいて前記基板の一側面より垂直に起立する垂直遮光壁部２４、２６ａ、２６ｂをそれぞれ形成する。【選択図】  図１
2004253230.tif 000002
【特許請求の範囲】
【請求項１】
矩形状に形成した有機薄膜ＥＬ素子からなる平面発光素子と、この平面発光素子の発光表面側に対してそのほぼ全面を覆うように当接配置するルーバ基板とから構成し、
前記ルーバ基板は、その長手方向に所定間隔離間させて平行に延在する複数の開口部を穿設すると共に、前記各開口部の各仕切部とその両端部とにおいて前記基板の一側面より垂直に起立する垂直遮光壁部をそれぞれ形成することを特徴とする平面発光体。
【請求項２】
前記ルーバ基板にそれぞれ形成する垂直遮光壁部は、各開口部から射光される平面発光体の発光が、前記基板の長手方向の両端に対する遮光領域を設定し得る高さ寸法となるように、前記基板の一側面より垂直に起立設定することを特徴とする請求項１記載の平面発光体。
【請求項３】
前記ルーバ基板は、合成樹脂材料により一体成形により構成してなることを特徴とする請求項１または２記載の平面発光体。
【請求項４】
請求項１ないし３のいずれかに記載の平面発光体は、安全作業衣服の前身ごろの縦方向縁部に沿って長手方向に配置し得る寸法に設定することを特徴する平面発光体。
【請求項５】
前記平面発光体は、その一部から導出される電極リードに対しインバータ等からなる昇圧回路を相互に接続して、前記平面発光体と一体化したユニット構成としたことを特徴とする請求項１ないし４のいずれかに記載の平面発光体。
【請求項６】
矩形状に形成した有機薄膜ＥＬ素子からなる平面発光素子からなり、この平面発光素子の一部から導出される電極リードに対し、インバータ等からなる昇圧回路を相互に接続して、前記平面発光素子と一体化したユニット構成としたことを特徴とする平面発光体。
【請求項７】
請求項１ないし６のいずれかに記載の平面発光体を、安全作業衣服の前身ごろに対し、それぞれルーバ基板の各開口部が長手方向にそれぞれ隣接するように垂直遮光壁部を位置させて取り付けると共に、平面発光体を安全作業衣服の一部に収納配置した点灯制御装置とバッテリとを一体化してなる電源装置に接続し、前記平面発光体を点灯制御するように構成したことを特徴とする安全作業衣服。
【請求項８】
請求項１ないし４のいずれかに記載の平面発光体を、防水加工を施した安全作業衣服の前身ごろに対し、それぞれルーバ基板の各開口部が長手方向にそれぞれ隣接するように垂直遮光壁部を位置させて取り付けると共に、平面発光体の電極リードを、安全作業衣服の一部に収納配置した耐水装備の点灯制御装置とバッテリとを一体化してなる電源装置に、防水コネクタを介して接続し、前記平面発光体を水中で点灯制御可能に構成したことを特徴とする安全作業衣服。
【請求項９】
請求項５または６記載の平面発光体を、防水加工を施した安全作業衣服の前身ごろに対して取り付けると共に、平面発光体と一体化した昇圧回路を含むユニットを耐水装備ユニット構成とし、この耐水装備ユニットの昇圧回路に導入接続されるリード線を、安全作業衣服の一部に収納配置した耐水装備の点灯制御装置とバッテリとを一体化してなる電源装置に、防水コネクタを介して接続し、前記平面発光体を水中で点灯制御可能に構成したことを特徴とする安全作業衣服。
【発明の詳細な説明】
【０００１】
【発明の属する技術分野】
本発明は、夜間等の路上における交通規制や安全誘導を行う場合、あるいは夜間工事等における保安のために、警備員や警察官および作業者等が着衣する安全作業衣服に関するものであり、特に安全作業衣服の着衣者が、安全作業衣服に装着された発光機能を備える平面発光体の点滅発光によって、目に対する眩しさを解消することができるように、平面発光体の装置構成を改善した平面発光体およびこの平面発光体を使用する安全作業衣服に関するものである。
【０００２】
【従来の技術】
従来より、夜間等の路上における交通規制や安全誘導を行う場合、あるいは夜間工事等における保安のために着用する安全作業衣服として、発光機能を備える有機薄膜ＥＬ（エレクトロルミネッセンス）素子により構成される平面発光体を適宜装着した構成からなるものが種々提案されている。
【０００３】
例えば、反射テープを前見ごろや後見ごろおよびウエストライン等に、それぞれ貼り付けた反射式安全ベストに対して、反射ライン上にＥＬランプによる平面発光体のテープを配置して、反射ラインよりも細い自発光ラインを形成し、ベストのウエストライン部分に平面発光体への電源ボックスを取り付けて、視認性が高く、しかも耐久性に富む構成とした安全ベストが提案されている（特許文献１参照）。
【０００４】
また、衣服体の表面に、電源に接続されて発光するエレクトロルミネッセンス素子によって構成される発光表示体を、着脱自在に配設したものであって、この発光表示体を間欠的に点灯したり、短い周期で繰り返し点灯するパターンと、非点灯パターンとを繰り返して点灯するように設定し、さらに発光表示体は、反射表示体を帯状にして、矩形、円形、矢印、菱形、三角形等の単位パターンを連続状態に配し、携帯可能な構造のバッテリー等からなる電源に接続された構成とすることによって、視認性を向上し、安全性を高め、製造コストを低くし、着脱を簡単に行うことができる発光機能を備えた衣服体が提案されている（特許文献２参照）。
【０００５】
さらに、夜間に行う交通取締りや実況見聞等を行う場合に便宜なように、夜行反射チョッキのチョッキ体の胸部表面もしくは胸部付近の表面に、電源により光輝もしくは点灯する文字読み取り用の照明部を設け、この照明部は、照明光を下方に向きを位置決め変更可能とする位置決め手段を介して設けた構成とすることによって、前記照明光により腰付近に配した免許証や書類等を照らして、両手を使って確認や記入作業を容易に行うことができるようにした夜光反射チョッキが提案されている（特許文献３参照）。
【０００６】
そして、前述した平面発光体として使用する有機薄膜ＥＬ素子としては、例えば、有機発光体層と正孔注入材料層とを積層にして、正孔注入材料層側に陽極（透明電極）を配すると共に、有機発光体層側に陰極（背面電極）を配し、その上下を吸湿フィルムで挟み、さらにその上下を吸湿フィルムで挟んで、最後に全体をラミネートして構成されたものが知られている（特許文献４参照）。
【０００７】
【特許文献１】
特開平７−１２１１３０号公報（特許請求の範囲の請求項１、発明の詳細な説明の段落番号０００１〜００１４、図１〜６）。
【特許文献２】
特開平１０−２５１９０６号公報（特許請求の範囲の請求項１、発明の詳細な説明全般、図１〜４）。
【特許文献３】
特開２００１−８９９０８号公報（特許請求の範囲の請求項１、発明の詳細な説明全般、図１〜５）。
【特許文献４】
特開平７−２８８１８５号公報（発明の詳細な説明の段落番号０００３、０００７、図１）。
【０００８】
【発明が解決しようとする課題】
しかしながら、前述したように、従来より提案されている各種の発光体を取り付けた安全衣服等においては、特に発光体を間欠的に点灯したり、あるいは短い周期で繰り返し点灯するパターンと非点灯パターンとを、繰り返して点灯するようにした場合において、安全衣服等の着衣者にとっては、前記発光体の光線が直接目に触れるため、目がチカチカするような眩しさを感じて、所要の確認対象物を明瞭に確認することができなくなる等の難点がある。
【０００９】
そこで、本発明者は、鋭意検討並びに工夫を重ねた結果、矩形状に形成した有機薄膜ＥＬ素子からなる平面発光素子と、この平面発光素子の発光表面側に対してそのほぼ全面を覆うように当接配置するルーバ基板とから構成し、前記ルーバ基板を、その長手方向に所定間隔離間させて平行に延在する複数の開口部を穿設すると共に、前記各開口部の各仕切部とその両端部とにおいて、前記基板の一側面より垂直に起立する垂直遮光壁部をそれぞれ形成した平面発光体を構成することにより、前記平面発光体を間欠的に点灯したり、あるいは短い周期で繰り返し点灯するパターンと非点灯パターンとを、繰り返して点灯するようにした場合においても、前記ルーバ基板に設けた垂直遮光壁部の作用により、平面発光体の長手方向の両端において、前記平面発光体の光線が直接目に触れないように所要の遮光領域を設定できる平面発光体が得られることを突き止めた。
【００１０】
また、前記のように構成した平面発光体は、安全作業衣服の前身ごろに対して取り付けると共に、前記平面発光体を安全作業衣服の一部に設けた電源収納部に収納配置した、点灯制御装置とバッテリとを一体化してなる電源装置に接続して、前記平面発光体を点灯制御するように構成することにより、この安全作業衣服の着衣者は、前記平面発光体を間欠的に点灯したりした場合においても、前記平面発光体の光線が直接目に触れることなく、目に対する眩しさを防止して、所要の確認対象物を容易かつ明瞭に確認できる安全作業衣服が得られることを突き止めた。
【００１１】
また、前記のように構成した平面発光体は、防水加工を施した安全作業衣服の前身ごろに対し、それぞれルーバ基板の各開口部が、長手方向にそれぞれ隣接するように垂直遮光壁部を位置させて取り付けると共に、平面発光体の電極リードを、安全作業衣服の一部に収納配置した、耐水装備の点灯制御装置とバッテリとを一体化してなる電源装置に、防水コネクタを介して接続し、前記平面発光体を水中で点灯制御可能に構成することにより、水中での作業においても前記と同様の作用および効果を奏することができる安全作業衣服が得られることを突き止めた。
【００１２】
そして、前記平面発光体を電源装置に接続する場合において、平面発光体の一部から導出される電極リードに対し、インバータ等からなる昇圧回路を相互に接続して、前記平面発光体と一体化したユニット構成とすることにより、この平面発光体の前記ユニットと電源装置との接続ラインを、低電圧とすることができるため、接続ラインの断線等によって生じる漏電に際しての危険性を低減することができることを突き止めた。
【００１３】
そこで、前記のように、水中での作業に適するよう平面発光体を設定する場合には、前記平面発光体と一体化した昇圧回路を含むユニットを耐水装備ユニット構成とし、この耐水装備ユニットの昇圧回路に導入接続されるリード線を、安全作業衣服の一部に収納配置した耐水装備の点灯制御装置とバッテリとを一体化してなる電源装置に、防水コネクタを介して接続し、前記平面発光体を水中で点灯制御可能に構成することにより、耐水装備の電源装置からリード線を介して平面発光体の耐水装備ユニットに電源を供給するに際して、昇圧回路により得られる高電圧出力が水中で漏電することがなく、安全作業衣服の周囲における感電等の危険性を十分に回避し、安全性を高めることができることを突き止めた。
【００１４】
従って、本発明の目的は、有機薄膜ＥＬ素子からなる平面発光素子に対し、その発光表面側にそれぞれ垂直に起立する垂直遮光壁部を形成した複数の開口部を所定間隔離間させて穿設したルーバ基板を当接配置して、この平面発光素子を間欠的に点灯した場合においても、平面発光素子の両端において平面発光素子の光線が直接目に触れないようにした遮光領域を設定することができる平面発光体およびこれを使用して特に水中での着衣を可能とする安全作業衣服を提供することにある。
【００１５】
【課題を解決するための手段】
前記目的を達成するため、本発明の請求項１に記載の平面発光体は、矩形状に形成した有機薄膜ＥＬ素子からなる平面発光素子と、この平面発光素子の発光表面側に対してそのほぼ全面を覆うように当接配置するルーバ基板とから構成し、前記ルーバ基板は、その長手方向に所定間隔離間させて平行に延在する複数の開口部を穿設すると共に、前記各開口部の各仕切部とその両端部とにおいて前記基板の一側面より垂直に起立する垂直遮光壁部をそれぞれ形成することを特徴とする。
【００１６】
本発明の請求項２に記載の平面発光体は、前記ルーバ基板にそれぞれ形成する垂直遮光壁部を、各開口部から射光される平面発光体の発光が、前記基板の長手方向の両端に対する遮光領域を設定し得る高さ寸法となるように、前記基板の一側面より垂直に起立設定することを特徴とする。
【００１７】
本発明の請求項３に記載の平面発光体は、前記ルーバ基板を、合成樹脂材料により一体成形により構成してなることを特徴とする。
【００１８】
本発明の請求項４に記載の平面発光体は、前記請求項１ないし３のいずれかに記載の平面発光体について、それぞれ安全作業衣服の前身ごろの縦方向縁部に沿って長手方向に配置し得る寸法に設定することを特徴とする。
【００１９】
本発明の請求項５に記載の平面発光体は、その一部から導出される電極リードに対し、インバータ等からなる昇圧回路を相互に接続して、前記平面発光体と一体化したユニット構成としたことを特徴とする。
【００２０】
また、本発明の請求項６に記載の平面発光体は、矩形状に形成した有機薄膜ＥＬ素子からなる平面発光素子からなり、この平面発光素子の一部から導出される電極リードに対し、インバータ等からなる昇圧回路を相互に接続して、前記平面発光素子と一体化したユニット構成としたことを特徴とする。
【００２１】
一方、本発明の請求項７に記載の平面発光体を使用する安全作業衣服は、前記請求項１ないし６のいずれかに記載の平面発光体を、安全作業衣服の前身ごろに対して取り付けると共に、平面発光体を安全作業衣服の一部に収納配置した点灯制御装置とバッテリとを一体化してなる電源装置に接続し、前記平面発光体を点灯制御するように構成したことを特徴とする。
【００２２】
また、本発明の請求項８に記載の平面発光体を使用する安全作業衣服は、前記請求項１ないし４のいずれかに記載の平面発光体を、防水加工を施した安全作業衣服の前身ごろに対し、それぞれルーバ基板の各開口部が長手方向にそれぞれ隣接するように垂直遮光壁部を位置させて取り付けると共に、平面発光体の電極リードを、安全作業衣服の一部に収納配置した耐水装備の点灯制御装置とバッテリとを一体化してなる電源装置に、防水コネクタを介して接続し、前記平面発光体を水中で点灯制御可能に構成したことを特徴とする。
【００２３】
さらに、本発明の請求項９に記載の平面発光体を使用する安全作業衣服は、前記請求項５または６記載の平面発光体を、防水加工を施した安全作業衣服の前身ごろに対して取り付けると共に、平面発光体と一体化した昇圧回路を含むユニットを耐水装備ユニット構成とし、この耐水装備ユニットの昇圧回路に導入接続されるリード線を、安全作業衣服の一部に収納配置した耐水装備の点灯制御装置とバッテリとを一体化してなる電源装置に、防水コネクタを介して接続し、前記平面発光体を水中で点灯制御可能に構成したことを特徴とする。
【００２４】
【発明の実施の形態】
次に、本発明に係る平面発光体およびこれを使用する安全作業衣服の実施例につき、添付図面を参照しながら、以下詳細に説明する。
【００２５】
図１ないし図５は、本発明に係る平面発光体の一実施例を示すもので、図１は正面図、図２は背面図、図３は平面図、図４は底面図、図５は図１の左側面図である。すなわち、本実施例の平面発光体１０は、有機薄膜ＥＬ素子からなる平面発光素子１２と、この平面発光素子１２の発光表面１２ａ側に重ね合わせて配置されたルーバ基板２０とから構成されている。
【００２６】
しかるに、前記平面発光素子１２は、有機薄膜ＥＬ素子の全体を透明なパッケージフィルムでラミネート封止された公知の構成からなり、一端側に一対の電極リード１４ａ、１４ｂが突出配置された構成からなる。なお、前記有機薄膜ＥＬ素子は、例えば、有機発光体層と正孔注入材料層とを積層にして、正孔注入材料層側に陽極（透明電極）を配すると共に、有機発光体層側に陰極（背面電極）を配し、その上下を吸湿フィルムで挟んだ従来より公知の構成からなる。
【００２７】
一方、ルーバ基板２０は、その長手方向に所定間隔離間させて平行に延在する複数の開口部２２を穿設すると共に、前記各開口部２２の各仕切部とその両端部とにおいて、前記基板２０の一側面より垂直に起立する垂直遮光壁部２４、２６ａ、２６ｂをそれぞれ形成する（図６参照）。
【００２８】
この場合、前記ルーバ基板２０にそれぞれ形成する垂直遮光壁部２４、２６ａ、２６ｂは、各開口部２２から射光される平面発光素子１２の発光が、前記基板２０の長手方向の両端に対する所定の遮光領域Ｘをそれぞれ設定し得る高さ寸法ｈとなるように、前記基板２０の一側面より垂直に起立設定する（図７参照）。なお、このような構成からなるルーバ基板２０は、例えば合成樹脂材料により、一体成形加工により容易かつ低コストに製造することができる。そして、このように成形されたルーバ基板２０は、前記平面発光素子１２の発光表面１２ａ側に重ね合わせて、適宜接着剤等を使用して接合構成する。
【００２９】
前記構成からなる本実施例の平面発光体１０は、前記電極リード１４ａ、１４ｂより、インバータ等からなる昇圧回路を含む点灯制御装置を介して、所要のバッテリからなる電源装置に接続することにより、例えば間欠的に点灯したり、あるいは短い周期で繰り返し点灯するパターンと非点灯パターンとを繰り返して点灯することが可能となる。また、この場合、前記ルーバ基板２０に設けた垂直遮光壁部２４、２６ａ、２６ｂによって、平面発光素子１２の長手方向の両端において、前記平面発光素子１２の光線を遮光し得る遮光領域Ｘを、それぞれ任意に設定することが可能である（図７参照）。
【００３０】
そこで、本発明に係る平面発光体１０は、所要の安全作業衣服の前身ごろの縦方向縁部に沿って、長手方向に配置し得る寸法に設定して、前記前身ごろに適宜装着した安全作業衣服を制作することができる。
【００３１】
すなわち、本実施例に係る平面発光体１０は、例えば図８に示すように、安全作業衣服３０の前身ごろ３２に対し、それぞれルーバ基板２０の各開口部２２が、長手方向にそれぞれ隣接するように垂直遮光壁部２４、２６ａ、２６ｂを位置させて取り付けると共に、平面発光素子１２の電極リード１４ａ、１４ｂを、安全作業衣服３０の一部に設けた電源収納部３４に収納配置した、点灯制御装置とバッテリとから構成される電源装置３５に配線接続し、前記平面発光素子１２を点灯制御するように構成することができる。すなわち、電源装置３５は、例えば前記平面発光素子１２の点灯を行うインバータ等からなる昇圧回路を含む点灯制御装置と、充電可能なバッテリとを、一体化したユニット構造とすることができる。
【００３２】
この場合、前記平面発光体１０の安全作業衣服３０の前身ごろ３２への取り付けに際しては、前身ごろ３２縦方向縁部に沿って予め装着した反射材３６の一部に、透明のポケット部３８を設定して、このポケット部３８内に前記平面発光体１０を収納配置し、適宜電源装置３５と接続し得るように構成する。このように構成配置することにより、雨天等に際しての前記平面発光体１０の保護を図ることができると共に、反射材３６によってその視認効果をより一層高めることができる。また、反射材３６は、前記安全作業衣服３０のウエストライン部分にも適宜装着することができる。
【００３３】
従って、このような構成からなる安全作業衣服３０を着衣した場合、安全作業衣服３０に装着された前記平面発光体１０の長手方向の上方となる着衣者の目の位置Ｅは、図９に示すように、前記平面発光体１０のルーバ基板２０に設けた垂直遮光壁部２４、２６ａ、２６ｂによって形成される遮光領域Ｘの範囲内に十分収まるため、着衣者の目に対する平面発光体１０の発光による眩しさを有効に防止することができる。
【００３４】
この場合、本実施例に係る平面発光体１０は、図１０に示すように、平面発光素子の一部から導出される電極リードに対し、インバータ等からなる昇圧回路を相互に接続して、前記平面発光素子と一体化したユニット４０として構成し、このユニット４０の昇圧回路に導入接続されるリード線４２ａ、４２ｂを、安全作業衣服３０の一部に収納配置した、点灯制御回路と充電可能なバッテリとを一体化してなる電源装置４４に接続するよう構成ことができる。このように構成することにより、この平面発光体１０の前記ユニット４０と電源装置４４との接続ラインを、低電圧とすることができるため、接続ラインの断線等によって生じる漏電に際しての危険性を低減することができる。
【００３５】
また、代案として、本実施例に係る平面発光体１０は、前記図８に示す実施例と同様にして、従来より公知の防水加工を施した安全作業衣服の前身ごろに対し、それぞれルーバ基板２０（図１参照）の各開口部２２（図１参照）が長手方向にそれぞれ隣接するように垂直遮光壁部２４、２６ａ、２６ｂ（図１参照）を位置させて取り付ける。そして、前記平面発光体１０の電極リード１４ａ、１４ｂ（図１参照）を、安全作業衣服の一部に収納配置した、従来より公知の耐水装備とした前記構成からなる電源装置３５に、従来より公知の防水コネクタ（図示せず）を介して接続し、前記平面発光体１０を水中で点灯制御可能に構成する。このように構成することによって、雨天の場合や水中での作業を可能とした安全作業衣服を得ることができる。
【００３６】
さらに、代案として、本実施例に係る平面発光体１０は、前記図８に示す実施例と同様にして、従来より公知の防水加工を施した安全作業衣服の前身ごろに対して取り付けることができる。そして、図１０に示すように構成した、平面発光体１０の電極リードとインバータ等からなる昇圧回路とを相互に接続して一体化したユニット４０を耐水装備ユニットとして構成し、この耐水装備ユニット４０の昇圧回路に導入接続されるリード線４２ａ、４２ｂを、安全作業衣服３０の一部に収納配置した、耐水装備の点灯制御回路と充電可能なバッテリとを一体化してなる電源装置４４に、従来より公知の防水コネクタ（図示せず）を介して接続し、前記平面発光体１０を水中で点灯制御可能に構成することができる。
【００３７】
このようにして、平面発光体１０の点灯に際し、高電圧出力を得るための昇圧回路を電極リードと一体化させた耐水装備ユニット４０からなる構成としたことにより、高電圧出力による水中での漏電を防止することができ、しかも電源装置４４の出力電圧を低電圧出力に設定することができることから、万一リード線４２ａ、４２ｂの断線等による漏電を生じても、安全作業衣服の着衣者のみならず、安全作業衣服の周囲において、それぞれ感電等の危険性を確実に防止し、安全性の高い安全作業衣服を得ることができる。
【００３８】
なお、図１０に示すように、平面発光体１０の一部から導出される電極リードに対し、インバータ等からなる昇圧回路を相互に接続して、前記平面発光体と一体化したユニット４０として構成し、このユニット４０の昇圧回路に導入接続されるリード線４２ａ、４２ｂを、安全作業衣服３０の一部に収納配置した、点灯制御回路と充電可能なバッテリとを一体化してなる電源装置４４に接続するように構成する場合において、前記平面発光体１０は、前述した図１に示すようなルーバ基板２０を有しない、一般的な構成からなる平面発光体にも有効に適用することができる。
【００３９】
以上、本発明の好適な実施例について説明したが、本発明は前記実施例に限定されることなく、本発明の精神を逸脱しない範囲内において種々の設計変更を行うことができることは勿論である。
【００４０】
【発明の効果】
前述した実施例から明らかな通り、本発明に係る請求項１に記載の平面発光体によれば、比較的簡単な構成により、平面発光体を間欠的に点灯したり、あるいは短い周期で繰り返し点灯するパターンと非点灯パターンとを繰り返して点灯するようにした場合においても、前記ルーバ基板に設けた垂直遮光壁部の作用により、例えば平面発光体の長手方向の位置において、前記平面発光体の光線が直接目に触れないようにした遮光領域を設定することができる。
【００４１】
本発明に係る請求項２に記載の平面発光体によれば、ルーバ基板に形成する垂直遮光壁部は、その基板の一側面より垂直に起立する寸法を適宜設定することにより、開口部から射光される平面発光体の発光が、前記基板の長手方向の一方に対して遮光し得る範囲すなわち遮光領域を任意に設定することができる。
【００４２】
本発明に係る請求項３に記載の平面発光体によれば、平面発光体の発光表面側に当接配置するルーバ基板は、合成樹脂材料により一体成形により、簡便かつ低コストに製造することが可能となる。
【００４３】
本発明に係る請求項４に記載の平面発光体によれば、安全作業衣服に装着することを目的として、平面発光体の寸法を、それぞれ安全作業衣服の前身ごろの縦方向縁部に沿って長手方向に配置し得る寸法に設定することにより、安全作業衣服の着衣者の目に対する眩しさを有効に防止することができる。
【００４４】
本発明に係る請求項５および請求項６に記載の平面発光体によれば、平面発光体に対し、電源装置と接続するためのインバータ等からなる昇圧回路を、平面発光体と一体化したユニット構成とすることにより、前記ユニットと電源装置との接続ラインを低電圧化することができ、接続ラインの断線等によって生じる漏電に際しての危険性を低減することができる。
【００４５】
一方、本発明に係る請求項７に記載の平面発光体を使用する安全作業衣服によれば、この安全作業衣服の着衣者は、平面発光体を間欠的に点灯したりした場合においても、平面発光体の光線が直接目に触れることなく、目に対する眩しさを防止し得ると共に、所要の確認対象物を容易かつ明瞭に確認することができる。
【００４６】
また、本発明に係る請求項８に記載の平面発光体を使用する安全作業衣服によれば、水中での作業に適用することができると共に、前記と同様の作用および効果を期待することができる。
【００４７】
さらに、本発明に係る請求項９に記載の平面発光体を使用する安全作業衣服によれば、電源装置からリード線を介して平面発光体の電極リードに電源を供給する場合において、昇圧回路により得られる高電圧出力の水中での漏電を確実に防止することができ、安全作業衣服の着衣者のみならず安全作業衣服の周囲における、感電等の危険に対する安全性を十分に高めることができる。
【図面の簡単な説明】
【図１】本発明に係る平面発光体の一実施例を示す正面図である。
【図２】図１に示す平面発光体の背面図である。
【図３】図１に示す平面発光体の平面図である。
【図４】図１に示す平面発光体の底面図である。
【図５】図１に示す平面発光体の左側面図である。
【図６】図１に示す平面発光体のＡ−Ａ線断面図である。
【図７】図６に示す平面発光体のＢ部分拡大断面図である。
【図８】本発明に係る平面発光体を使用する安全作業衣服の典型的な一実施例を示す概略説明斜視図である。
【図９】本発明に係る平面発光体を使用した安全作業衣服の着衣者の目の位置に対する遮光効果を示す説明図である。
【図１０】本発明に係る平面発光体を使用した安全作業衣服に適用する平面発光体と昇圧回路との一体化構成および電源装置との接続構成を示す概略説明図である。
【符号の説明】
１０  平面発光体
１２  平面発光素子
１２ａ  発光表面
１４ａ、１４ｂ  電極リード
２０  ルーバ基板
２２  開口部
２４  仕切部の垂直遮光壁部
２６ａ、２６ｂ  両端部の垂直遮光壁部
３０  安全作業衣服
３２  前身ごろ
３４  電源収納部
３５  電源装置
３６  反射材
３８  ポケット部
４０  耐水装備ユニット
４２ａ、４２ｂ  リード線
４４  電源装置
Ｘ  遮光領域
ｈ  垂直遮光壁部の高さ
Ｅ  目の位置
【図１】
2004253230.tif 000003
【図２】
2004253230.tif 000004
【図３】
2004253230.tif 000005
【図４】
2004253230.tif 000006
【図５】
2004253230.tif 000007
【図６】
2004253230.tif 000008
【図７】
2004253230.tif 000009
【図８】
2004253230.tif 000010
【図９】
2004253230.tif 000011
【図１０】
2004253230.tif 000012